(57)【要約】【課題】  文書を配布する際に、文書中の特定の情報を秘匿することを自動的に行い、また、電子透かしの読み取りの方法を予め知っている者に限り、特定情報が秘匿された文書から元の情報を読み出すことを可能にする。【解決手段】  本発明は、秘匿したい特定情報に目印を付けた文書が入力されると、目印を付けた文書を隠蔽用イメージに置換し、電子透かし埋め込み技術を用いて、隠蔽用イメージに、置換する前の特定情報を埋め込む。特定情報置換文書が入力されると、文書内で隠蔽用のイメージの存在する部分を抽出し、隠蔽用のイメージに対して、電子透かし検出技術を用いて、該隠蔽用のイメージに埋め込まれていた特定情報を取得し、隠蔽用のイメージを、透かし検出ステップで得られた前記埋め込まれていた特定情報で置換する。【選択図】  図１
2007034378.tif 000002
【特許請求の範囲】
【請求項１】
文書に含まれる特定の情報を別の情報に書き換える文書処理方法であって、
秘匿したい特定情報に目印を付けた文書が入力されると、特定情報置換手段において、隠蔽用イメージＤＢを参照して、該目印を付けた文書を隠蔽用イメージに置換する特定情報置換ステップと、
透かし埋め込み手段において、電子透かし埋め込み技術を用いて、前記隠蔽用イメージに、置換する前の特定情報を埋め込む透かし埋め込みステップと、
を行うことを特徴とする文書処理方法。
【請求項２】
文書に含まれる特定の情報を別の情報に書き換える文書処理方法であって、
秘匿したい特定情報に目印を付けた文書が入力されると、特定情報置換手段において、隠蔽用イメージＤＢを参照して、該目印を付けた文書を隠蔽用イメージに置換する特定情報置換ステップと、
透かし埋め込み手段において、電子透かし埋め込み技術を用いて、前記隠蔽用イメージに、任意かつ一意のＩＤを埋め込む透かし埋め込みステップと、
ＤＢ登録手段において、前記埋め込んだＩＤと、置換する前の特定情報を対にして、埋め込みＩＤ＜−＞特定情報対応ＤＢに登録するＤＢ登録ステップと、
を行うことを特徴とする文書処理方法。
【請求項３】
文書に含まれる特定の情報を別の情報に置き換える文書処理方法であって、
秘匿したい情報を含む文書が入力されると、語照合手段において、入力された該文書に含まれる語と、特定情報辞書に登録されている語の照合を行い、入力された該文書に含まれる語が該特定情報辞書に登録されている語と一致した場合は、一致した語の属性を記録する語照合ステップと、
語配置照合手段において、記録した前記語の属性の並びと、前記特定情報辞書に登録されている語の属性の並びの照合を行い、記録した語の属性の並びが特定情報配置辞書に登録されている語の属性の並びと一致した場合は、前記語照合ステップにおいて一致した語に目印を付ける語配置照合ステップと、
特定情報置換手段において、隠蔽用イメージＤＢを参照して、前記語配置照合ステップで目印を付けた情報を隠蔽用イメージに置換する特定情報置換ステップと、
透かし埋め込み手段において、電子透かし埋め込み技術を用いて、前記隠蔽用イメージに、置換する前の目印を付けた情報を埋め込む透かし埋め込みステップと、
を行うことを特徴とする文書処理方法。
【請求項４】
文書に含まれる特定の情報を別の情報に置き換える文書処理方法であって、
秘匿したい情報を含む文書が入力されると、語照合手段において、入力された文書に含まれる語と、特定情報辞書に登録されている語の照合を行い、入力された該文書に含まれる語が該特定情報辞書に登録されている語と一致した場合は、一致した語の属性を記録する語照合ステップと、
語配置照合手段において、記録した前記語の属性の並びが特定情報配置辞書に登録されている語の属性の並びと一致した場合は、前記語照合ステップにおいて一致した語に目印を付ける語配置照合ステップと、
特定情報置換手段において、隠蔽用イメージＤＢを参照して目印を付けた情報を隠蔽用イメージに置換する特定情報置換ステップと、
透かし埋め込み手段において、電子透かし埋め込み技術を用いて、前記隠蔽用イメージに、任意かつ一意のＩＤを埋め込む透かし埋め込みステップと、
ＤＢ登録手段において、埋め込んだ前記ＩＤと、置換する前の前記目印を付けた情報を対にして埋め込みＩＤ＜−＞特定情報対応ＤＢに登録するＤＢ登録ステップと、
を行うことを特徴とする文書処理方法。
【請求項５】
特定の情報を別の情報に置き換えた文書から元の文書を復元する文書処理方法であって、
特定情報が、電子透かし技術を用いて特定情報を埋め込んだ隠蔽用イメージで置換された文書が入力されると、透かし埋め込み領域候補抽出手段において、隠蔽用イメージＤＢを参照して、該文書内で隠蔽用のイメージの存在する部分を抽出する透かし埋め込み領域候補抽出ステップと、
透かし検出手段において、前記透かし埋め込み領域候補抽出ステップで抽出した前記隠蔽用のイメージの存在する部分に対して、電子透かし検出技術を用いて、該隠蔽用のイメージに埋め込まれていた特定情報を取得する透かし検出ステップと、
特定情報復元手段において、前記透かし埋め込み領域候補抽出ステップで抽出した前記隠蔽用のイメージの存在する部分を、前記透かし検出ステップで得られた前記埋め込まれていた特定情報で置換する特定情報復元ステップと、
を行うことを特徴とする文書処理方法。
【請求項６】
特定の情報を別の情報に置き換えた文書から元の文書を復元する文書処理方法であって、
特定情報が、電子透かし技術を用いて特定情報を埋め込んだ隠蔽用イメージで置換された文書が入力されると、透かし埋め込み領域候補抽出手段において、隠蔽用イメージＤＢを参照して、該文書内で隠蔽用イメージの存在する部分を抽出する透かし埋め込み領域候補抽出ステップと、
透かし検出手段において、前記透かし埋め込み領域候補抽出ステップにおいて抽出した前記隠蔽用イメージの存在する部分に対して、電子透かし検出技術を用いて、該隠蔽用イメージに埋め込まれていたＩＤを取得する透かし検出ステップと、
ＤＢ参照手段において、前記透かし検出ステップで得られた前記ＩＤをキーにして、埋め込みＩＤ＜−＞特定情報対応ＤＢに登録された情報の中から、該ＩＤと対応する特定情報を検索するＤＢ参照ステップと、
特定情報復元手段において、前記透かし埋め込み領域候補抽出ステップで抽出した前記隠蔽用イメージを、前記ＤＢ参照ステップで得られた特定情報で置換する特定情報復元ステップと、
を行うことを特徴とする文書処理方法。
【請求項７】
文書に含まれる特定の情報を別の情報に書き換える文書処理装置であって、
元の特定情報を秘匿するための隠蔽用イメージが格納された隠蔽用イメージＤＢと、
秘匿したい特定情報に目印を付けた文書が入力されると、前記隠蔽用イメージＤＢを参照して、該目印を付けた文書を隠蔽用イメージに置換する特定情報置換手段と、
電子透かし埋め込み技術を用いて、前記隠蔽用イメージに、置換する前の特定情報を埋め込む透かし埋め込み手段と、
を有することを特徴とする文書処理装置。
【請求項８】
文書に含まれる特定の情報を別の情報に置き換える文書処理装置であって、
語と属性からなる特定情報辞書と、
語の属性の並びを格納した特定情報配置辞書と、
元の特定情報を秘匿するための隠蔽用イメージが格納された隠蔽用イメージＤＢと、
秘匿したい情報を含む文書が入力されると、該文書に含まれる語と、前記特定情報辞書に登録されている語の照合を行い、入力された該文書に含まれる語が該特定情報辞書に登録されている語と一致した場合は、一致した語の属性を記憶手段に記録する語照合手段と、
前記記憶手段に記録した前記語の属性の並びと、前記特定情報辞書に登録されている語の属性の並びの照合を行い、記録した語の属性の並びが特定情報配置辞書に登録されている語の属性の並びと一致した場合は、前記語照合手段において一致した語に目印を付ける語配置照合手段と、
前記隠蔽用イメージＤＢを参照して、前記語配置照合手段で目印を付けた情報を隠蔽用イメージに置換する特定情報置換手段と、
電子透かし埋め込み技術を用いて、前記隠蔽用イメージに、置換する前の目印を付けた情報を埋め込む透かし埋め込み手段と、
を有することを特徴とする文書処理装置。
【請求項９】
特定の情報を別の情報に置き換えた文書から元の文書を復元する文書処理装置であって、
元の特定情報を秘匿するための隠蔽用イメージが格納された隠蔽用イメージＤＢと、
特定情報が、電子透かし技術を用いて特定情報を埋め込んだ隠蔽用イメージで置換された文書が入力されると、前記隠蔽用イメージＤＢを参照して、該文書内で隠蔽用のイメージの存在する部分を抽出する透かし埋め込み領域候補抽出手段と、
前記透かし埋め込み領域候補抽出手段で抽出した前記隠蔽用のイメージの存在する部分に対して、電子透かし検出技術を用いて、該隠蔽用のイメージに埋め込まれていた特定情報を取得する透かし検出手段と、
前記透かし埋め込み領域候補抽出手段で抽出した前記隠蔽用のイメージの存在する部分を、前記透かし検出ステップで得られた前記埋め込まれていた特定情報で置換する特定情報復元手段と、
を有することを特徴とする文書処理装置。
【請求項１０】
少なくとも元の特定情報を秘匿するための隠蔽用イメージが格納された隠蔽用イメージＤＢを有するコンピュータを、
前記請求項７乃至９のいずれか記載の文書処理装置として機能させることを特徴とする文書処理プログラム。
【発明の詳細な説明】
【技術分野】
【０００１】
本発明は、文書処理方法及び装置及びプログラムに係り、特に、文書に含まれる特定の情報を別の情報に書き換えるための文書処理方法及び装置及びプログラムに関する。
【背景技術】
【０００２】
従来、個人情報などを開示してはならない情報が含まれている文書を配布する場合は、人手を介して当該文書を開示してはならない情報を隠蔽する作業を行っている（例えば、非特許文献１参照）。
【非特許文献１】http://www.trueteller.net/filter/index.shtml1
【発明の開示】
【発明が解決しようとする課題】
【０００３】
特定情報を人手で隠蔽する場合は、ケアレスミスにより隠蔽漏れが発生する可能性がある。また、文書の量が多い場合は人手では定められた有効期間内に処理しきれない場合がある。
【０００４】
特定情報を知りうる権利がある者であっても、隠蔽処理された文書からは元の特定情報を知り得ないという問題がある。
【０００５】
本発明は、上記の点に鑑みなされたもので、文書を配布する際に、文書中の特定の情報を秘匿することを自動的に行うことが可能で、また、電子透かしの読み取りの方法を予め知っている者に限り、特定情報が秘匿された文書から元の情報を読み出すことが可能な文書処理方法及び装置及びプログラムを提供する
【課題を解決するための手段】
【０００６】
図１は、本発明の原理を説明するための図である。
【０００７】
本発明（請求項１）は、文書に含まれる特定の情報を別の情報に書き換える文書処理方法であって、
秘匿したい特定情報に目印を付けた文書が入力されると（ステップ１）、特定情報置換手段において、隠蔽用イメージＤＢを参照して、該目印を付けた文書を隠蔽用イメージに置換する特定情報置換ステップ（ステップ２）と、
透かし埋め込み手段において、電子透かし埋め込み技術を用いて、隠蔽用イメージに、置換する前の特定情報を埋め込む透かし埋め込みステップ（ステップ３）と、を行う。
【０００８】
本発明（請求項２）は、文書に含まれる特定の情報を別の情報に書き換える文書処理方法であって、
秘匿したい特定情報に目印を付けた文書が入力されると、特定情報置換手段において、隠蔽用イメージＤＢを参照して、該目印を付けた文書を隠蔽用イメージに置換する特定情報置換ステップと、
透かし埋め込み手段において、電子透かし埋め込み技術を用いて、隠蔽用イメージに、任意かつ一意のＩＤを埋め込む透かし埋め込みステップと、
ＤＢ登録手段において、埋め込んだＩＤと、置換する前の特定情報を対にして、埋め込みＩＤ＜−＞特定情報対応ＤＢに登録するＤＢ登録ステップと、を行う。
【０００９】
本発明（請求項３）は、文書に含まれる特定の情報を別の情報に置き換える文書処理方法であって、
秘匿したい情報を含む文書が入力されると、語照合手段において、入力された該文書に含まれる語と、特定情報辞書に登録されている語の照合を行い、入力された該文書に含まれる語が該特定情報辞書に登録されている語と一致した場合は、一致した語の属性を記録する語照合ステップと、
語配置照合手段において、記録した語の属性の並びと、特定情報辞書に登録されている語の属性の並びの照合を行い、記録した語の属性の並びが特定情報配置辞書に登録されている語の属性の並びと一致した場合は、語照合ステップにおいて一致した語に目印を付ける語配置照合ステップと、
特定情報置換手段において、隠蔽用イメージＤＢを参照して、語配置照合ステップで目印を付けた情報を隠蔽用イメージに置換する特定情報置換ステップと、
透かし埋め込み手段において、電子透かし埋め込み技術を用いて、隠蔽用イメージに、置換する前の目印を付けた情報を埋め込む透かし埋め込みステップと、を行う。
【００１０】
本発明（請求項４）は、文書に含まれる特定の情報を別の情報に置き換える文書処理方法であって、
秘匿したい情報を含む文書が入力されると、語照合手段において、入力された文書に含まれる語と、特定情報辞書に登録されている語の照合を行い、入力された該文書に含まれる語が該特定情報辞書に登録されている語と一致した場合は、一致した語の属性を記録する語照合ステップと、
語配置照合手段において、記録した語の属性の並びが特定情報配置辞書に登録されている語の属性の並びと一致した場合は、語照合ステップにおいて一致した語に目印を付ける語配置照合ステップと、
特定情報置換手段において、隠蔽用イメージＤＢを参照して目印を付けた情報を隠蔽用イメージに置換する特定情報置換ステップと、
透かし埋め込み手段において、電子透かし埋め込み技術を用いて、隠蔽用イメージに、任意かつ一意のＩＤを埋め込む透かし埋め込みステップと、
ＤＢ登録手段において、埋め込んだＩＤと、置換する前の目印を付けた情報を対にして埋め込みＩＤ＜−＞特定情報対応ＤＢに登録するＤＢ登録ステップと、を行う。
【００１１】
本発明（請求項５）は、特定の情報を別の情報に置き換えた文書から元の文書を復元する文書処理方法であって、
特定情報が、電子透かし技術を用いて特定情報を埋め込んだ隠蔽用イメージで置換された文書が入力される（ステップ４）と、透かし埋め込み領域候補抽出手段において、隠蔽用イメージＤＢを参照して、該文書内で隠蔽用のイメージの存在する部分を抽出する透かし埋め込み領域候補抽出ステップ（ステップ５）と、
透かし検出手段において、透かし埋め込み領域候補抽出ステップで抽出した隠蔽用のイメージの存在する部分に対して、電子透かし検出技術を用いて、該隠蔽用のイメージに埋め込まれていた特定情報を取得する透かし検出ステップ（ステップ６）と、
特定情報復元手段において、透かし埋め込み領域候補抽出ステップで抽出した隠蔽用のイメージの存在する部分を、透かし検出ステップで得られた、埋め込まれていた特定情報で置換する特定情報復元ステップ（ステップ７）と、を行う。
【００１２】
本発明（請求項６）は、特定の情報を別の情報に置き換えた文書から元の文書を復元する文書処理方法であって、
特定情報が、電子透かし技術を用いて特定情報を埋め込んだ隠蔽用イメージで置換された文書が入力されると、透かし埋め込み領域候補抽出手段において、隠蔽用イメージＤＢを参照して、該文書内で隠蔽用イメージの存在する部分を抽出する透かし埋め込み領域候補抽出ステップと、
透かし検出手段において、透かし埋め込み領域候補抽出ステップにおいて抽出した隠蔽用イメージの存在する部分に対して、電子透かし検出技術を用いて、該隠蔽用イメージに埋め込まれていたＩＤを取得する透かし検出ステップと、
ＤＢ参照手段において、透かし検出ステップで得られたＩＤをキーにして、埋め込みＩＤ＜−＞特定情報対応ＤＢに登録された情報の中から、該ＩＤと対応する特定情報を検索するＤＢ参照ステップと、
特定情報復元手段において、透かし埋め込み領域候補抽出ステップで抽出した隠蔽用イメージを、ＤＢ参照ステップで得られた特定情報で置換する特定情報復元ステップと、を行う。
【００１３】
図２は、本発明の原理構成図である。
【００１４】
本発明（請求項７）は、文書に含まれる特定の情報を別の情報に書き換える文書処理装置であって、
元の特定情報を秘匿するための隠蔽用イメージが格納された隠蔽用イメージＤＢ１２０と、
秘匿したい特定情報に目印を付けた文書が入力されると、隠蔽用イメージＤＢ１２０を参照して、該目印を付けた文書を隠蔽用イメージに置換する特定情報置換手段１１０と、
電子透かし埋め込み技術を用いて、隠蔽用イメージに、置換する前の特定情報を埋め込む透かし埋め込み手段１２０と、を有する。
【００１５】
本発明（請求項８）は、文書に含まれる特定の情報を別の情報に置き換える文書処理装置であって、
語と属性からなる特定情報辞書と、
語の属性の並びを格納した特定情報配置辞書と、
元の特定情報を秘匿するための隠蔽用イメージが格納された隠蔽用イメージＤＢと、
秘匿したい情報を含む文書が入力されると、該文書に含まれる語と、特定情報辞書に登録されている語の照合を行い、入力された該文書に含まれる語が該特定情報辞書に登録されている語と一致した場合は、一致した語の属性を記憶手段に記録する語照合手段と、
記憶手段に記録した語の属性の並びと、特定情報辞書に登録されている語の属性の並びの照合を行い、記録した語の属性の並びが特定情報配置辞書に登録されている語の属性の並びと一致した場合は、語照合手段において一致した語に目印を付ける語配置照合手段と、
隠蔽用イメージＤＢを参照して、語配置照合手段で目印を付けた情報を隠蔽用イメージに置換する特定情報置換手段と、
電子透かし埋め込み技術を用いて、隠蔽用イメージに、置換する前の目印を付けた情報を埋め込む透かし埋め込み手段と、を有する。
【００１６】
本発明（請求項９）は、特定の情報を別の情報に置き換えた文書から元の文書を復元する文書処理装置であって、
元の特定情報を秘匿するための隠蔽用イメージが格納された隠蔽用イメージＤＢ２２０と、
特定情報が、電子透かし技術を用いて特定情報を埋め込んだ隠蔽用イメージで置換された文書が入力されると、隠蔽用イメージＤＢ２２０を用いて、該文書内で隠蔽用のイメージの存在する部分を抽出する透かし埋め込み領域候補抽出手段２１０と、
透かし埋め込み領域候補抽出手段２１０で抽出した隠蔽用のイメージの存在する部分に対して、電子透かし検出技術を用いて、該隠蔽用のイメージに埋め込まれていた特定情報を取得する透かし検出手段２３０と、
透かし埋め込み領域候補抽出手段２１０で抽出した隠蔽用のイメージの存在する部分を、透かし検出ステップで得られた、埋め込まれていた特定情報で置換する特定情報復元手段２４０と、を有する。
【００１７】
本発明（請求項１０）は、少なくとも元の特定情報を秘匿するための隠蔽用イメージが格納された隠蔽用イメージＤＢを有するコンピュータを、
請求項７乃至９のいずれか記載の文書処理装置として機能させる文書処理プログラムである。
【発明の効果】
【００１８】
上記のように、本発明によれば、文書を配布する際に、文書中の特定の情報を秘匿することを自動的に行うことができる。
【００１９】
また、電子透かしの読み取り方法を予め知っている者に限り、特定情報が秘匿された文書から元の情報を読み出すことができる。
【発明を実施するための最良の形態】
【００２０】
以下、図面と共に本発明の実施の形態を説明する。
【００２１】
以下では、原文書に含まれる秘密情報や個人情報などの特定の情報を別の情報に書き換えた特定情報置換文書の作成と、特定情報置換文書から原文書への復元とを可能にする文書処理装置・方法について説明する。
【００２２】
［第１の実施の形態］
本実施の形態は、請求項１，７に対応する。
【００２３】
本実施の形態では、特定情報置換文書の作成処理について説明する。
【００２４】
図３は、本発明の第１の実施の形態における文書処理装置（埋め込み）の構成を示す。
【００２５】
同図に示す文書処理装置１００Ａは、データベース等から特定情報（目印付き文書）を読み込んで入力する文書入力装置１０と、特定情報置換文書（特定情報透かし入り）をデータベース等の記憶手段や、ネットワークに出力する文書出力装置２０に接続されている。
【００２６】
文書処理装置１００Ａは、特定情報置換部１１０、隠蔽用イメージＤＢ１２０，電子透かし埋め込み部１３０から構成される。
【００２７】
以下に、上記の構成における動作を説明する。
【００２８】
図４は、本発明の第１の実施の形態における文書処理装置の動作のフローチャートである。
【００２９】
ステップ１０１）  特定情報置換部１１０は、文書入力装置１０より特定情報指定済み文書を受け取る。特定情報指定済み文書とは、特定情報に目印が付いた文書である。特定情報とは秘匿したい情報のことである。例えば、秘密情報や個人情報であるが、これらに限定されない。目印は、語が特定情報かどうかを示すフラグの働きをするものであればよく、データ表現形式としては、例えばデータ形式ＸＭＬ形式で指定タグで囲む、文字のフォントを変える、あるいは、文字に下線などの属性を付加するなどがあるが、表現形式はこれに限らない（特定情報指定済み文書入力ステップ）。
【００３０】
ステップ１０２）  特定情報置換部１１０は、受け取った特定情報指定済み文書を特定情報の目印が付いた語を隠蔽用イメージＤＢ１２０を参照して隠蔽用イメージに置換する。隠蔽用イメージは、元の特定情報が秘匿できるものであれば何でもよく、例えば、黒い四角形などがあるが、これに限定されない（特定情報置換ステップ）。
【００３１】
ステップ１０３）  電子透かし埋め込み部１３０は、ステップ１０２で置換された隠蔽用イメージに電子透かし技術を用いて置換する前の特定情報を埋め込む。これにより、特定の情報のみを秘匿した特定情報置換文書を文書出力装置２０に出力する。
【００３２】
［第２の実施の形態］
本実施の形態は、請求項２に対応する。
【００３３】
本実施の形態でも、特定情報置換文書の作成処理について説明する。
【００３４】
図５は、本発明の第２の実施の形態における文書処理装置（埋め込み）の構成を示す。
【００３５】
同図において、前述の図３の構成と同一構成部分については同一符号を付し、その説明を省略する。
【００３６】
図５に示す文書処理装置１００Ｂは、特定情報置換部１１０、隠蔽用イメージＤＢ１２０、電子透かし埋め込み部１３０、ＤＢ登録部１４０、埋め込みＩＤ特定情報対応ＤＢ１５０から構成される。
【００３７】
文書処理装置１００Ｂは、図の３構成にＤＢ登録部１４０、埋め込みＩＤ＜−＞特定情報対応ＤＢ１５０が付加された構成である。図６に、本発明の第２の実施の形態における埋め込みＩＤ＜−＞特定情報対応ＤＢの構成を示す。
【００３８】
図７は、本発明の第２の実施の形態における文書処理装置の動作のフローチャートである。
【００３９】
ステップ２０１）  特定情報置換部１１０は、文書入力装置１０より特定情報指定済み文書を受け取る。当該ステップは、前述の第１の実施の形態と同様である。
【００４０】
ステップ２０２）  特定情報置換部１１０は、受け取った特定情報指定済み文書を特定情報の目印が付いた語を隠蔽用イメージＤＢ１２０を参照して隠蔽用イメージに置換する。
当該ステップは、前述の第１の実施の形態と同様である。
【００４１】
ステップ２０３）  電子透かし埋め込み部１３０は、上記の隠蔽用イメージに電子透かし技術を用いて任意かつ一意のＩＤを埋め込む。
【００４２】
ステップ２０４）  ＤＢ登録部１４０は、埋め込んだＩＤと埋め込んだ隠蔽用イメージに置換する前の特定情報を対にして埋め込みＩＤ＜−＞特定情報対応ＤＢ１５０内に記憶する。
【００４３】
［第３の実施の形態］
本実施の形態は請求項３、８に対応する。
【００４４】
本実施の形態でも、特定情報置換文書の作成処理について説明する。
【００４５】
図８は、本発明の第３の実施の形態における文書処理装置（埋め込み）の構成を示す。
【００４６】
本実施の形態では、文書入力装置１０から入力される文書は、前述の第１、第２の実施の形態とは異なり、特定情報の目印が付いていない一般文書である。また、文書出力装置２０からは、特定情報置換文書（特定情報透かし入り）が出力される。
【００４７】
同図に示す文書処理装置１００Ｃは、図３の構成に照合部１６０、特定情報辞書１７０と特定情報配置辞書１８０を付加した構成である。照合部１６０は、語照合部１６１と語配置照合部１６２を有する。
【００４８】
図９は、本発明の第３の実施の形態における文書処理装置の動作のフローチャートである。
【００４９】
ステップ３１０）  照合部１６０の語照合部１６１は、入力された文書に含まれる語と特定情報辞書１７０に登録されている語の照合を行い、入力された文書に含まれる語が特定情報辞書１７０に登録されている語と一致する場合には、当該語をメモリ（図示せず）に記録する。
【００５０】
ステップ３２０）  照合部１６０の語配置照合部１６２は、語照合部１６１のメモリに記録されている語の属性の並びと、特定情報配置辞書１８０に登録されている語の属性の並びの照合を行い、メモリに記録した語の属性の並びが特定情報配置辞書１８０に登録されている語の属性の並びと一致した場合は、一致した語に目印を付ける。
【００５１】
ステップ３３０）  特定情報置換部１１０は、隠蔽用イメージＤＢ１２０を参照し、ステップ３２０で目印を付けた情報を隠蔽用イメージに置換する。
【００５２】
ステップ３４０）  電子透かし埋め込み部１３０は、電子透かし埋め込み技術を用いて、隠蔽用イメージに、置換する前の特定情報を埋め込む。
【００５３】
次に、上記のステップ３１０の処理について詳細に説明する。
【００５４】
図１０に、本発明の第３の実施の形態における特定情報辞書のデータ構造を示す。同図に示すように、特定情報辞書１７０は、語と属性からなり、属性は、品詞と品詞の小分類からなる。品詞は名詞、動詞等の一般的定義を用いるが、本発明の場合、特別に郵便番号と電話番号を表す数値とメールアドレスも品詞の分類に加える。語が特定かどうかのデータはないが、これは特定情報辞書１７０に含まれる語は全て“特定”である。即ち、辞書１７０に含まれているかどうかで特定かどうかを判断するため、不要だからである。
【００５５】
図１１は、本発明の第３の実施の形態における語照合のフローチャートである。
【００５６】
まず、原文書を元に語照合部１６１内のメモリ上に空の属性地図を作成する（ステップ３１１）。なお、属性地図については後述する。原文書の語が特定辞書１７０内にあるかを判断する（ステップ３１２）。語の長さは一文字とは限らないので、語の区切りは一文字ずつ順にのばしていき、語の長さが特定情報辞書１７０内の最長語より長くなった時点で語をのばすのを止める。語が特徴情報辞書１７０内にあれば（ステップ３１３、Ｙｅｓ）、属性地図に語数と当該辞書１７０から参照した語を保存する（ステップ３１４）。語が特定情報辞書１７０になければ（ステップ３１３、Ｎｏ）、現在注目している文字の次の文字から同じことを繰り返す。全文字の処理が終了したら（ステップ３１２、Ｙｅｓ）本ステップを終了する。
【００５７】
メモリ上に作成される属性地図の例を図１２に示す。同図ではわかりやすいように地図を表で表現したが、意味的に同じならば、データ構造は表に限定されない。原文書内の一文字毎に任意数の属性が記録できる。属性は文字数と属性値からなり、文字数はその文字が含まれる語を構成する文字数を、属性値は特定情報辞書１７０から参照した属性を収納する。空の属性地図とは、原文書の文字のみが収納され、属性は全て空欄の地図のことである。同じ語を構成する文字に対しては最初の一文字にのみ属性が収納され、残りの文字の属性は空欄とする。
【００５８】
同一の語が複数の属性を持つ場合があり、例えば、「山田」が固有名詞の人名と固有名詞の地名の２種類の形式で特定情報辞書１７０に登録されている場合である。この場合は、両方の属性をそれぞれ属性地図に収納する。属性数は任意であり、必要な分だけ増やすことができる。
【００５９】
図１２の表の最右列は、後述する語配置照合ステップの結果を保持する欄である。
【００６０】
同一文字が複数の語を構成する場合があり、「東」「京」「都」の文字の並びがあったときに、「東京」と「東京都」と「京都」の３つの語が特定情報辞書１７０に登録されている場合である。この場合は最も文字数の長い語を採用する。
【００６１】
ステップ３２０の語配置照合処理では、ステップ３１０の語照合ステップで作成した属性地図を入力とし、属性地図内の語の並びが特定情報配置辞書１８０内に含まれるかどうかを調べ、含まれる語並びに対応する語に目印を付けて出力する。目印は前述の属性地図に付与すると便利であるが、目印の付け方はこれに限らない。
【００６２】
特定情報配置辞書１８０のデータ構造を図１３に示す。同図では、表で表現したが、意味的に同じならばデータ構造は表に限定されない。図１３に示す表の１行が１つの並びに相当する。図１３の表からは例えば、固有名詞・人名ならばそれひとつだけで特定情報と判断でき、固有名詞住所は続いて固有名詞の人名が続けば特定情報と判断できる。
【００６３】
図１４は、本発明の第３の実施の形態における語配置照合のフローチャートである。
【００６４】
全文書の属性の検索が終了したかを判定し（ステップ３２１）、終了していない場合は、属性の並びが特定情報配置辞書１８０にあるかを判定し（ステップ３２２）、ある場合は、（ステップ３２２、Ｙｅｓ）、属性地図上の対象語の特定情報結果フラグ欄に「真」フラグを追加し（ステップ３２３）、ステップ３２１に移行する。全文書の属性の検索が終了したら（ステップ３２１、Ｙｅｓ）、全文書の処理を終了する。
【００６５】
［第４の実施の形態］
本実施の形態は、請求項４に対応する。
【００６６】
本実施の形態でも、特定情報置換文書の作成処理について説明する。
【００６７】
図１５は、本発明の第４の実施の形態における文書処理装置（埋め込み）の構成を示す。
【００６８】
本実施の形態では、前述の第３の実施の形態と同様に文書入力装置１０から入力される文書は、特定情報の目印が付いていない一般文書である。文書出力装置２０からは、特定情報置換文書（特定情報透かし入り）が出力される。
【００６９】
本実施の形態は、前述の第３の実施の形態と第２の実施の形態を組み合わせたものである。
【００７０】
図１５に示す文書処理装置１００Ｄは、語照合部１６１と語配置照合部１６２を有する照合部１６０、特定情報辞書１７０、特定情報配置辞書１８０、特定情報置換部１１０、隠蔽用イメージＤＢ１２０、電子透かし埋め込み部１３０、ＤＢ登録部１４０、埋め込みＩＤ＜−＞特定情報対応ＤＢ１５０から構成される。
【００７１】
図１６は、本発明の第４の実施の形態における文書処理装置の動作のフローチャートである。以下のステップ４１０〜ステップ４３０の処理については、前述の第３の実施の形態におけるステップ３１０〜ステップ３３０の処理と同様である。また、ステップ４４０〜ステップ４５０の処理は、前述の第２の実施の形態のステップ２０３〜ステップ２０４の処理と同様である。
【００７２】
ステップ４１０）  照合部１６０の語照合部１６１は、入力された文書に含まれる語と特定情報辞書１７０に登録されている語の照合を行い、入力された文書に含まれる語が特定情報辞書１７０に登録されている語と一致する場合には、当該語をメモリ（図示せず）に記録する。
【００７３】
ステップ４２０）  照合部１６０の語配置照合部１６２は、語照合部１６１のメモリに記録されている語の属性の並びと、特定情報配置辞書１８０に登録されている語の属性の並びの照合を行い、メモリに記録した語の属性の並びが特定情報配置辞書１８０に登録されている語の属性の並びと一致した場合は、一致した語に目印を付ける。
【００７４】
ステップ４３０）  特定情報置換部１１０は、隠蔽用イメージＤＢ１２０を参照し、ステップ４２０で目印を付けた情報を隠蔽用イメージに置換する。
【００７５】
ステップ４４０）  電子透かし埋め込み部１３０は、上記の隠蔽用イメージに電子透かし技術を用いて任意かつ一意のＩＤを埋め込む。
【００７６】
ステップ４５０）  ＤＢ登録部１４０は、埋め込んだＩＤと埋め込んだ隠蔽用イメージに、置換する前の特定情報を対にして埋め込みＩＤ＜−＞特定情報対応ＤＢ１５０内に記憶する。
【００７７】
［第５の実施の形態］
本実施の形態は、請求項５，９に対応する。
【００７８】
本実施の形態では、前述の第１、第３の実施の形態において、文書出力装置２０から出力された特定情報透かし入りの特定情報置換文書を復元する処理について説明する。
【００７９】
図１７は、本発明の第５の実施の形態における文書処理装置（復元）の構成図である。
【００８０】
同図に示す文書処理装置（復元）２００Ａは、特定情報置換文書（特定情報透かし入り）を入力する文書入力装置３０と、原文書を出力する文書出力装置４０に接続されている。
【００８１】
文書処理装置２００Ａは、透かし埋め込み領域候補抽出部２１０、隠蔽用イメージＤＢ２２０，透かし検出部２３０、及び、特定情報復元部２４０から構成される。
【００８２】
次に、上記の構成における動作を説明する。
【００８３】
図１８は、本発明の第５の実施の形態における文書処理装置（復元）の動作のフローチャートである。
【００８４】
ステップ５０１）  透かし埋め込み領域候補抽出部２１０は、入力装置３０から入力された特定情報置換文書が入力されると、隠蔽用イメージＤＢ２２０を参照して、入力された文書中の隠蔽用イメージのみを抽出する。抽出には、一般的な文字認識あるいは、画像認識技術を用いる。例えば、隠蔽用イメージが黒い四角形である場合は、文字認識あるいは、画像認識技術の認識対象テンプレートに黒い四角形をセットし、これを探す。
【００８５】
ステップ５０２）  透かし検出部２３０は、透かし埋め込み領域候補抽出部２１０で抽出された隠蔽用イメージに対し、電子透かし検出処理を行い、埋め込まれていた情報を得る。
【００８６】
ステップ５０３）  特定情報復元部２４０は、透かし検出部２３０で得られた埋め込み済み情報と、対応する特定情報置換文書中の隠蔽用イメージを置換し、元文書を得る。
【００８７】
［第６の実施の形態］
本実施の形態は、請求項６に対応する。
【００８８】
本実施の形態では、前述の第２、第４の実施の形態で出力された埋め込みＩＤ透かし入りの特定情報置換文書を復元する処理について説明する。
【００８９】
図１９は、本発明の第６の実施の形態における文書処理装置（復元）の構成図である。
【００９０】
同図に示す文書処理装置（復元）２００Ｂは、前述の第５の実施の形態における構成に、ＤＢ参照部２５０、埋め込みＩＤ＜−＞特定情報対応ＤＢ２６０を付加した構成であり、図１７と同一構成部分には同一符号を付し、その説明を省略する。なお、埋め込みＩＤ＜−＞特定情報対応ＤＢ２６０は、第２、第４の実施の形態で示した埋め込みＩＤ＜−＞特定情報対応ＤＢ１５０と同一のＤＢである。
【００９１】
次に、上記の構成における動作を説明する。
【００９２】
図２０は、本発明の第６の実施の形態における文書処理装置（復元）の動作のフローチャートである。
【００９３】
ステップ６０１）  透かし埋め込み領域候補抽出部２１０は、入力装置３０から入力された特定情報置換文書が入力されると、隠蔽用イメージＤＢ２２０を参照して、入力された文書中の隠蔽用イメージのみを抽出する（前述のステップ５０１と同様の処理）。
【００９４】
ステップ６０２）  透かし検出部２３０は、透かし埋め込み領域候補抽出部２１０で抽出された隠蔽用イメージに対し、電子透かし検出処理を行い、埋め込まれていた情報を得る。得られた埋め込み済情報はＩＤである。
【００９５】
ステップ６０３）  ＤＢ参照部２５０は、電子透かし検出部２３０により得られたＩＤをインデックスとして、埋め込みＩＤ＜−＞特定情報対応ＤＢ２６０を検索し、対応する特定情報を得る。
【００９６】
ステップ６０４）  特定情報復元部２４０は、ＤＢ参照部２５０で得られた埋め込み済情報と、対応する特徴情報置換文書中の隠蔽用イメージを置換し、元文書を得る。
【実施例】
【００９７】
以下、図面と共に、本発明の実施例を説明する。
【００９８】
［第１の実施例］
本実施例では、図３、図４を再び用いて説明する。
【００９９】
特定情報指定済み文書は、前述の第１の実施の形態の説明で述べたように、秘匿したい情報に目印が付いた文書である。以下、目印の付け方について具体的に説明する。
【０１００】
図２１は、本発明の第１の実施例のタグを用いた目印の例である。同図に示す例は、ＸＭＬ形式で記載しているが、特定のＸＭＬ処理系を想定しているものではない。ＸＭＬ形式中のauthorで始まるタグ部分が個人情報、すなわち、秘匿したい情報である。
【０１０１】
図２２は、本発明の第１の実施例の文書編集ソフトの文字飾り機能を用いた目印の例である。同図に示す例は、文字飾りの一つである下線を用いて目印を付けている。他にも文字のフォントを変える、色を変える、サイズを変える、背景を変える等の目印の付け方があり、文字編集ソフトの機能に依存する。これらの文字飾りは、文書データの中では文字を表すコードに付随する属性として記憶されている。記憶の形式は、文書編集ソフトに依存するが、その記憶形式のルールを知り、どの文字飾りを目印に使うのを決めれば、文書データを処理して秘匿したい情報の目印を付与したり、検出したりするのは可能である。
【０１０２】
図４の特定情報指定済み文書入力ステップ（ステップ１０１）では、秘匿したい情報を隠蔽用データで置換するが、以下隠蔽用データの例を説明する。
【０１０３】
図２３は、本発明の第１の実施例の隠蔽用データに黒い四角形を用いた例を示す。図２４は、本発明の第１の実施例の黒い四角形を用いた例であるが、連続した四角形を一つの四角形で代用したものである。
【０１０４】
図２５は、本発明の第１の実施例の隠蔽用データに属性名を用いた例である。属性名自体を記載しても問題ない場合、あるいは、文書の理解の上で属性名を記載した方が望ましい場合などに有効である。
【０１０５】
図２６は、本発明の第１の実施例の隠蔽用データに架空の語を用いた例である。
【０１０６】
図４の透かし埋め込みステップ（ステップ１０３）では、隠蔽用データに秘匿したい情報を電子透かし技術を用いて埋め込む。この場合に使用可能な電子透かし技術は、画像に情報を埋め込むものと文字に電子透かしを埋め込むものである。図２３と図２４のように、隠蔽用データが画像の場合は、画像に情報を埋め込むタイプの電子透かし技術が利用できる。図２５と図２６のように隠蔽用データが文字の場合は、文字に埋め込むタイプの電子透かし技術が利用できるが、文字の背景を画像と捉えれば画像に情報を埋め込むタイプも利用できる。
【０１０７】
［第２の実施例］
本実施例では、前述の第２の実施の形態で用いた図５、図７を再び用いて説明する。
【０１０８】
図７の特定情報置換ステップ（ステップ２０２）までは、第１の実施例と同様であるのでその説明は省略する。
【０１０９】
図７の透かし埋め込みステップ（ステップ２０３）では、一意のＩＤを埋め込む。埋め込むＩＤは一意であれば形式は問わない。ＩＤとしてはｂｉｔの並びとして表現できる数値データが一般的である。画像を埋め込むタイプの電子透かし技術を用いる場合は、画像がＩＤとなる。図２３の例のように、隠蔽用データの一つが秘匿したい情報の文字ひとつに対応する場合は、文字に対応するＩＤを埋め込む。図２４、図２５、図２６のように、隠蔽用データのひとかたまりが、秘匿したい情報の文字の並びひとかたまりに対応する場合は、文字の並びとひとかたまりに対応するＩＤを埋め込む。
【０１１０】
図７のＤＢ登録ステップ（ステップ２０４）では、ＩＤと秘匿したい情報である特定情報を対にして埋め込みＩＤ＜−＞特定情報対応ＤＢ１５０に登録する。ＩＤが数値データの場合は一般的なＤＢ技術を用いる。ＩＤが画像の場合は画像を扱えるＤＢ技術を用いる。
【０１１１】
［第３の実施例］
本実施例は、請求項３，９に対応する実施例である。
【０１１２】
図２７は、本発明の第３の実施例の特定情報抽出技術を説明するための図である。同図における語照合ステップ３１０と、語配置照合ステップ３２０については、前述の第３の実施の形態で説明した以外に、既存技術でも実現できる。例えば、文献「http://trueteller.net/filter/index.shtml」では、原文書から個人情報を半自動的に抽出する技術について述べている。
【０１１３】
［第４の実施例］
図２８は、本発明の第４の実施例の原文書が紙に印刷されたものの場合の特定情報抽出処理を示す。この場合は、文書を電子ファイル化するために既存の文字認識技術（ステップ３００）を用いる。文字認識技術はスキャナやカメラでキャプチャした画像から文字を認識する技術であり、一般に、OCR(Optical Character Reader)と呼ばれる技術である。一般的であるので説明は省略する。
【０１１４】
印刷文書が電子ファイル化した後は、前述の第３の実施例と同様の手順で特定情報置換文書を得る。
【０１１５】
［第５の実施例］
本実施例では、前述の第５の実施の形態で用いた図１８を用いて説明する。
【０１１６】
図１８の透かし埋め込み領域候補抽出ステップ（ステップ５０１）では、上記の第４の実施例で述べた文字認識技術を用いて、透かし領域候補を抽出する。隠蔽用データが図２３、図２４のように黒い四角形の場合は、文字認識技術の文字テンプレートの一つに黒い四角形を登録しておけば抽出可能である。図２５、図２６のように隠蔽用データが文字の場合は、その文字が文字認識技術の文字テンプレートとして未登録であれば登録する。文字認識技術で文字を抽出した後で、文字の並びが隠蔽用データの文字の並びと一致すれば、その文字の並びを透かし領域候補とする。
【０１１７】
隠蔽用データが文字の場合の透かし領域候補抽出手順を図２９に示す。文字認識を行い（ステップ７０１）、文字並びと隠蔽用データ文字並びが一致する場合（ステップ７０３、Ｙｅｓ）は、文字並びを透かし領域候補とする（ステップ７０４）。
【０１１８】
図１８の透かし検出ステップ（ステップ５０２）では、透かし領域候補から透かし情報を読み出す。どのような透かし方式で情報を埋め込んだかは、読み出し側には予め知られているものとする。
【０１１９】
図１８の特定情報復元ステップ（ステップ５０３）では、透かし検出ステップで読み出した情報を隠蔽用データと置換して元文書を得る。透かし領域候補であるにも関わらず、透かし検出ステップ（ステップ５０２）で透かしが読み出せなかった場合は置換を行わない。これは、例えば、元の文書にはじめから隠蔽用データと同じもの、例えば、黒い四角形が存在していた場合に相当する。
【０１２０】
［第６の実施例］
図３０は、本発明の第６の実施例の文書印刷システムを示す。
【０１２１】
文書印刷システムにおけるプリンタ８０１には、前述の第３の実施の形態で示した機能が内蔵されている。パーソナルコンピュータ（ＰＣ）から個人情報入り文書データ８０２Ａを当該プリンタ８０１で印刷する際に、個人情報非開示フラグを同時に指定する。非開示フラグがＯＦＦの場合は文書をオリジナルのまま印刷する。非開示フラグがＯＮの場合は個人情報８０２Ｂを隠蔽用データで置き換え、隠蔽用データに電子透かしにて個人情報を埋め込んだ個人情報置換文書８０４を出力する。
【０１２２】
［第７の実施例］
図３１は、本発明の第７の実施例の文書コピーシステムを示す。
【０１２３】
コピー機９０１には、前述の第３の実施の形態で示した機能が内蔵されている。個人情報入り文書データ８０２Ａを当該コピー機でコピーする際に、個人情報非開示フラグを同時に指定する。非開示フラグがＯＦＦの場合は文書９０２Ａをオリジナルのままコピーする。非開示フラグがＯＮの場合は、個人情報を隠蔽用データで置き換え、隠蔽用データに電子透かしにて個人情報を埋め込んだ個人情報置換文書９０４を出力する。
【０１２４】
また、上記の実施の形態における文書処理装置の動作をプログラムとして構築し、文書処理装置として利用されるコンピュータにインストールして実行する、または、ネットワークを介して流通させることが可能である。
【０１２５】
また、構築されたプログラムをディスク装置や、フレキシブルディスク、ＣＤ−ＲＯＭ等の可搬記憶媒体に格納し、配布するまたは、コンピュータにインストールすることが可能である。
【０１２６】
なお、本発明は、上記の実施の形態及び実施例に限定されることなく、特許請求の範囲内において種々変更・応用が可能である。
【産業上の利用可能性】
【０１２７】
本発明は、秘匿する情報が含まれている文書を流通させるシステムに適用可能である。
【図面の簡単な説明】
【０１２８】
【図１】本発明の原理を説明するための図である。
【図２】本発明の原理構成図である。
【図３】本発明の第１の実施の形態における文書処理装置（埋め込み）の構成図である。
【図４】本発明の第１の実施の形態における文書処理装置（埋め込み）の動作のフローチャートである。
【図５】本発明の第２の実施の形態における文書装置装置（埋め込み）の構成図である。
【図６】本発明の第２の実施の形態における埋め込みＩＤ＜−＞特定情報対応ＤＢデータ構造である。
【図７】本発明の第２の実施の形態における文書処理装置（埋め込み）の動作のフローチャートである。
【図８】本発明の第３の実施の形態における文書処理装置（埋め込み）の構成図である。
【図９】本発明の第３の実施の形態における文書処理装置（埋め込み）の動作のフローチャートである。
【図１０】本発明の第３の実施の形態における特定情報辞書のデータ構造を示す図である。
【図１１】本発明の第３の実施の形態における語照合のフローチャートである。
【図１２】本発明の第３の実施の形態における文書属性地図の例である。
【図１３】本発明の第３の実施の形態における特定情報配置辞書のデータ構造を示す図である。
【図１４】本発明の第３の実施の形態における語配置照合のフローチャートである。
【図１５】本発明の第４の実施の形態における文書処理装置（埋め込み）の構成図である。
【図１６】本発明の第４の実施の形態における文書処理装置（埋め込み）の動作のフローチャートである。
【図１７】本発明の第５の実施の形態における文書処理装置（復元）の構成図である。
【図１８】本発明の第５の実施の形態における文書処理装置（復元）の動作のフローチャートである。
【図１９】本発明の第６の実施の形態における文書処理装置（復元）の構成図である。
【図２０】本発明の第６の実施の形態における文書処理装置（復元）の動作のフローチャートである。
【図２１】本発明の第１の実施例のタグを用いた目印例である。
【図２２】本発明の第１の実施例の文字飾りを用いた目印例である。
【図２３】本発明の第１の実施例の隠蔽用データに黒い四角形を用いた例である。
【図２４】本発明の第１の実施例の隠蔽用データに黒い四角形を用いた例である。
【図２５】本発明の第１の実施例の隠蔽用データに属性名を用いた例である。
【図２６】本発明の第１の実施例の隠蔽用データに架空語を用いた例である。
【図２７】本発明の第３の実施例の特定情報抽出技術を説明するための図である。
【図２８】本発明の第４の実施例の原文書が紙に印刷されたものの場合の特定情報抽出処理を示す図である。
【図２９】本発明の第５の実施例の文字隠蔽用データの透かし領域候補抽出手順のフローチャートである。
【図３０】本発明の第６の実施例の文書印刷システムの例である。
【図３１】本発明の第７の実施例の文書コピーシステムの例である。
【符号の説明】
【０１２９】
１０，３０  文書入力装置
２０，４０  文書出力装置
１００  文書処理装置（埋め込み）
１１０  特定情報置換手段、特定情報置換部
１２０  隠蔽用イメージＤＢ
１３０  透かし埋め込み手段、電子透かし埋め込み部
１４０  ＤＢ登録部
１５０  埋め込みＩＤ＜−＞特定情報対応ＤＢ
１６０  照合部
１６１  語照合部
１６２  語配置照合部
１７０  特定情報辞書
１８０  特定情報配置辞書
２００  文書処理装置（復元）
２１０  透かし埋め込み領域候補抽出手段、透かし埋め込み領域候補抽出部
２２０  隠蔽用イメージＤＢ
２３０  透かし検出手段、透かし検出部
２４０  特定情報復元手段、特定情報復元部
２５０  ＤＢ参照部
２６０  埋め込みＩＤ＜−＞特定情報対応ＤＢ
８０１  プリンタ
８０２  個人情報入り文書データ
８０３  オリジナル文書
８０４  個人情報置換文書
９０１  コピー機
９０２  個人情報入り文書
９０３  オリジナル文書
９０４  個人情報置換文書
【図１】
2007034378.tif 000003
【図２】
2007034378.tif 000004
【図３】
2007034378.tif 000005
【図４】
2007034378.tif 000006
【図５】
2007034378.tif 000007
【図６】
2007034378.tif 000008
【図７】
2007034378.tif 000009
【図８】
2007034378.tif 000010
【図９】
2007034378.tif 000011
【図１０】
2007034378.tif 000012
【図１１】
2007034378.tif 000013
【図１２】
2007034378.tif 000014
【図１３】
2007034378.tif 000015
【図１４】
2007034378.tif 000016
【図１５】
2007034378.tif 000017
【図１６】
2007034378.tif 000018
【図１７】
2007034378.tif 000019
【図１８】
2007034378.tif 000020
【図１９】
2007034378.tif 000021
【図２０】
2007034378.tif 000022
【図２１】
2007034378.tif 000023
【図２２】
2007034378.tif 000024
【図２３】
2007034378.tif 000025
【図２４】
2007034378.tif 000026
【図２５】
2007034378.tif 000027
【図２６】
2007034378.tif 000028
【図２７】
2007034378.tif 000029
【図２８】
2007034378.tif 000030
【図２９】
2007034378.tif 000031
【図３０】
2007034378.tif 000032
【図３１】
2007034378.tif 000033